(57)【特許請求の範囲】
【請求項１】
遺体を燃焼するための燃焼炉と、
前記燃焼炉からの排ガスが流入し、前記排ガスの熱を媒体と熱交換する排ガス／媒体熱交換器と、
前記媒体が注入され、この媒体の温度変動を抑制する第１のバッファタンクと、
前記第１のバッファタンクからの前記媒体の熱により低沸点作動媒体を加熱・蒸発させ作動媒体蒸気を生成する蒸発器と、
前記作動媒体蒸気により駆動される媒体タービンと、
前記媒体タービンにより駆動され発電する発電機と、
前記蒸発器から流出する前記媒体が注入され、この媒体の温度変動を抑制して前記媒体を前記排ガス／媒体熱交換器に供給する第２のバッファタンクと、
火葬システムを構成する各装置に前記発電機で発電した電力と、前記各装置で必要とする電力の不足電力を外部電源から供給する電力制御装置と、
を備える火葬システム。
【請求項２】
前記第１のバッファタンク及び前記第２のバッファタンク内の前記媒体の温度がそれぞれ設定温度を超えると、前記各バッファタンク内の前記媒体を冷却するための冷却媒体が前記第１のバッファタンク及び前記第２のバッファタンク内に注入されることを特徴とする請求項１記載の火葬システム。
【請求項３】
前記第１のバッファタンクと前記蒸発器の間に設けられた前記媒体を流す媒体流路に、前記媒体を冷却するための冷却媒体を注入する冷却媒体注入手段を有し、
前記蒸発器に流入する前記媒体の温度が設定温度範囲内となるように前記冷却媒体注入手段を制御することを特徴とする請求項１又は請求項２記載の火葬システム。
【請求項４】
前記第１のバッファタンクと前記蒸発器との間に設けた第１の流量調整バルブと、
前記第１のバッファタンクと前記蒸発器との間から前記排ガス／媒体熱交換器に前記媒体を帰還するバイパス流路と、
前記バイパス流路に設けた第２の流量調整バルブと、を備え、
前記蒸発器から流出する前記媒体の温度が設定温度範囲内となるように前記第１の流量調整バルブと前記第２の流量調整バルブとを制御することを特徴とする請求項１乃至請求項３のいずれか１項に記載の火葬システム。
【請求項５】
前記第１のバッファタンクから流出する前記媒体を吸引して前記蒸発器に送出する第１の媒体循環ポンプと、
前記第２のバッファタンクから流出する前記媒体を吸引して前記排ガス／媒体熱交換器に送出する第２の媒体循環ポンプと、
前記第１のバッファタンク及び前記第２のバッファタンク内の各前記媒体の第１液面高さ及び第２液面高さをそれぞれ測定する第１レベルメータ及び第２レベルメータと、を備え、
前記第１液面高さと前記第２液面高さの差が一定値となるように、前記第１の媒体循環ポンプ及び前記第２の媒体循環ポンプがそれぞれ前記媒体の流速を制御することを特徴とする請求項１乃至請求項４のいずれか１項に記載の火葬システム。
【請求項６】
前記第１レベルメータ及び第２レベルメータからの信号を参照し、前記第１液面高さと前記第２液面高さがそれぞれ設定値に達したと判断された場合、前記第１のバッファタンク及び前記第２のバッファタンクに設けられた排出バルブが開き、前記第１のバッファタンク及び前記第２のバッファタンク内の前記媒体が排出されることを特徴とする請求項５記載の火葬システム。
【請求項７】
前記火葬システムに設けた各種センサからの情報を演算して制御信号を生成し、この制御信号により前記火葬システムを構成する各装置のうちの少なくとも一つの装置を制御する電力情報処理装置を設けることを特徴とする請求項１乃至請求項６のいずれか１項に記載の火葬システム。
【請求項８】
前記火葬炉が並列に複数設けられ、前記火葬炉からの各排ガスが共通の前記排ガス／媒体熱交換器に流入することを特徴とする請求項１又は請求項７記載の火葬システム。
【請求項９】
前記排ガス／媒体熱交換器から排出された排ガスの熱を空気と熱交換し熱風を生成する熱風回収熱交換器と、
前記熱風を前記火葬炉に送出する熱風回収路と、を備える請求項１乃至請求項８のいずれか１項に記載の火葬システム。
【請求項１０】
前記火葬炉の燃焼段階の情報を参照して、前記排ガス／媒体熱交換器、前記蒸発器、前記媒体タービン、前記発電機、前記冷却媒体注入手段、前記第１の流量調整バルブ、前記第２の流量調整バルブ、前記第１の媒体循環ポンプ、前記第２の媒体循環ポンプ、前記第１のバッファタンク及び前記第２のバッファタンクに前記冷却媒体を注入する手段の少なくとも一つを制御することを特徴とする請求項５記載の火葬システム。
【請求項１１】
前記外部電源に異常が発生した場合に備えるバックアップ電源を設け、前記外部電源からの電力が停止又は低下した場合は、前記外部電源から前記バックアップ電源に切り替えることを特徴とする請求項１乃至請求項１０のいずれか１項に記載の火葬システム。
【発明の詳細な説明】
【技術分野】
【０００１】  本発明は火葬システムに関し、特に発電システムを備えた火葬システムに関する。
【背景技術】
【０００２】  従来の火葬システムは、火葬炉で生じた高温の排ガスを冷却器などで冷却後、集塵機でダストの除去処理を行った後に触媒装置でダイオキシン類などの除去を行い、最終的に煙突を介して大気中に放出していた。すなわち、従来の火葬システムでは高温の熱エネルギーを再利用することなく、そのまま廃棄することが一般的であった。【０００３】  しかしながら近年火葬システムにおいても、火葬システム全体としてのエネルギー効率を高めて省エネルギーを図ると同時に、人間（ご遺体）の尊厳を尊重した火葬システムの構築が求められている。【０００４】  省エネルギーを図るため第１の従来技術として、特許文献１（特開２０１２−１３２６６公報）に記載の発電システムおよび火葬炉があり、火葬システムに発電システムを組み込み、火葬炉で発生した高温の熱エネルギーを用いて熱交換器で蒸気を発生し、この蒸気で蒸気タービンを駆動して発電することにより火葬炉で発生した熱エネルギーを有効に利用することが記載されている。【０００５】  次に図１０を参照して第１の従来技術について詳細に説明する。図１０において火葬炉１０１はボイラとしての機能を備えており、給水ポンプ１０６によって供給された水は火葬炉１０１内の高温の熱で気化し、水蒸気が汽水分離器１０２に送られる。汽水分離器１０２により水滴が除かれた蒸気は、発電機１０３に送られて蒸気タービンを駆動し発電を行う。蒸気タービンを駆動するのに用いた後の低圧の蒸気は、冷却塔１０５から冷却水の供給を受ける復水器１０４に送られて凝縮して水となり、ホットウェルタンク１０７に送られ火葬炉１０１へと循環する。このように本公報記載の火葬炉は焼却炉そのものをボイラ化して熱効率を向上させている。【０００６】  また発電装置を組み込んだ火葬設備の第２の従来技術として、特許文献２（特開２０１０−１３３６９３公報）に記載の移動式一体型火葬設備があり、図１１を参照して説明する。本公報において、電気供給装置１１５は、焼却炉１１１、冷却装置１１２ａ，１１２ｂ、集塵装置１１３ａ，１１３ｂ、及び排熱排出装置１１４を運転する電力を供給している。これにより外部から電力を受ける必要がないので、移動式一体型火葬設備を実現している。【０００７】  また低温かつ小容量の排熱を有効利用して発電する第３の従来技術として、特許文献３（特許第４８７５５４６号公報）に記載の排熱発電装置、排熱発電装置の作動媒体蒸気加熱度制御方法について図１２を参照して説明する。【０００８】  図１２は本公報記載の排熱発電装置の構成図であり、排熱源１２９からの温水を蒸気発生器１２１に供給して作動媒体液を加熱し作動媒体蒸気を生成する。そして次に、この作動媒体蒸気を液滴分離器１２２に供給する。この作動媒体蒸気の圧力と温度をそれぞれ圧力センサ１２６と温度センサ１２７とで測定し、これらの情報を制御盤１２８に伝達する。そして制御盤１２８により圧力と温度が制御された作動媒体蒸気は、タービン１２３を回転しタービンに連結した高速発電機を駆動して発電する。【０００９】  タービン１２３からの作動媒体蒸気は凝縮器１２４で冷却されて液体となり、給液ポンプ１２５を介して蒸気発生器１２１に送られ、再度、作動媒体蒸気が生成さ��る。このようにして、低沸点（４０℃程度）の作動媒体の循環が行われる。この排熱発電装置は圧力センサ１２６と温度センサ１２７からの圧力と温度を参照して加熱度を演算し、この演算値が予め設定した加熱度に一致するように給液ポンプ１２５の回転速度を増減し作動媒体液の流量を制御する。このような制御を行うことで加熱度を一定に保って効率的に排熱を回収し、発電を行っている。【００１０】  さらに排熱流量あるいは排熱温度の変化によらず安定した発電出力を得る第４の従来技術として、特許文献４（特開平１０−１８４３１６号公報）に記載の廃熱利用の発電制御装置について図１３を参照して説明する。【００１１】  図１３は本公報記載の発電プラントのブロック図であり、蒸気タービン１３１に流入する蒸気流量を制御する為の蒸気流量制御系と、蒸気タービンの入口圧力を制御する蒸気圧力制御系と、各蒸気分離器１３２ａ〜１３２ｃの各熱水レベルを制御する熱水レベル制御系とを有している。また高圧、中圧、低圧の各蒸気分離器１３２ａ〜１３２ｃの余剰熱水の温度を制御する熱水温度制御系と、復水器１３３の水位レベルを制御する復水器レベル制御系と、冷水塔１３４の水位レベルが設定値となるように冷却塔１３４へ補給する補給水量を制御する補給水量制御系と、冷却塔１３４の冷却水温度を制御する機内温度制御系と、を備えている。そしてこれらの制御系を用いて、電力負荷変動、蒸気タービンに流入する蒸気流量の変動、排熱蒸気流量変動および圧力変動、復水器の機内温度変動、冷却水量及び排熱熱交換機出口の温度変動、冷却塔のレベル変動などを安定化し高効率の発電を行うとしている。【００１２】  またバイナリー発電を用いて熱源エネルギーの利用効率を改善した第５の従来技術として、特許文献５（特開２００９−２２１９６１公報）に記載のバイナリー発電システムについて図１４を参照して説明する。【００１３】  図１４は本公報記載のバイナリー発電システムのブロック図であり、熱源流体１４１と熱交換して蒸発した低沸点作動媒体１４９の蒸気を蒸気タービン１４４に導入して発電を行う。作動媒体を予熱する予熱器１４３と蒸発器１４２Ａ、１４２Ｂ、蒸気タービン１４４、熱回収器１４８、凝縮器１４６、媒体送液ポンプ１４７Ａ、１４７Ｂを直列的に構成して閉ループを形成する。本公報のバイナリー発電システムは、作動媒体の蒸発温度、圧力が異なる複数段の蒸発器１４２Ａ、１４２Ｂを設け、各段で生成した各蒸気を蒸気タービン（混圧タービン）１４４の高圧段、低圧段に流入させてタービン発電機１４５を駆動する。このような構成により、単一段のみの蒸発器から生成した作動媒体の蒸気で蒸気タービンを駆動する方式と比して、熱源流体の保有する熱エネルギーの利用効率を高めている。
【先行技術文献】
【特許文献】
【００１４】
【特許文献１】特開２０１２−１３２６６公報
【００１５】
【特許文献２】特開２０１０−１３３６９３公報
【００１６】
【特許文献３】特許第４８７５５４６号公報
【００１７】
【特許文献４】特開平１０−１８４３１６号公報
【００１８】
【特許文献５】特開２００９−２２１９６１公報
【発明の概要】
【発明が解決しようとする課題】
【００１９】  特許文献１記載の第１の従来技術は、火葬炉の内部にパネル状の熱交換器を配設し火葬炉そのものをボイラ化しているので、熱交換器が高温にさらされ信頼性上問題がある。また本公報記載の発電システムでは一定期間毎に熱交換器のメンテナンスや修理、新品への交換を行う必要がある。【００２０】  また火葬システムに発電システムを組み込んだ場合の特有な問題として、火葬炉の運転サイクル、すなわち、急加熱→焼却→冷却の各工程で火葬炉内の温度が大幅に変動する。また一般的に夜間は火葬が行われないので火葬炉の温度は低温状態となり、高温の水蒸気で蒸気タービンを駆動する方式では、火葬炉が所定の温度よりも低温になると発電することが出来ない。【００２１】  このように、蒸気タービンを駆動するための熱エネルギーが大幅に変動するため発電機からの出力電力が安定せず、また夜間においては発電システムを停止せざるを得ない為、発電システムの運転状態が極めて不安定となり、発電システムを構成する各装置が劣化し易いという問題がある。【００２２】  また特許文献２記載の第２の従来技術は、移動式一体型火葬設備に電気供給装置１１５を設けて、焼却炉１１１などの装置を運転するための電力を供給することは記載されているものの、どのようにして発電を行うかについては記載されていない。図１１から推定すると、電気供給装置１１５は液体燃料を用いたエンジン式の発電機と考えられる。換言すると、本公報においては火葬システム全体としてのエネルギー効率を改善するために、火葬炉から排出される排ガスの熱エネルギーを再利用する技術思想の記載、または示唆については開示されていない。【００２３】  さらに特許文献３記載の第３の従来技術は、沸点が４０℃前後の低沸点の作動媒体を３０℃〜８０℃程度の温水と熱交換して作動媒体蒸気を生成し、この作動媒体蒸気をタービン１２３に供給することにより発電している。またこの従来技術では、作動媒体の循環直後で温水温度や媒体温度が安定しておらず制御が不安定になるのを防ぐために、作動媒体の循環を開始してから一定の時間が経過するまで、加熱度の目標値を本来の目標値より低く設定して作動媒体液流量の増減を制御している。【００２４】  しかしながら第３の従来技術による排熱発電装置は、排熱源として工場排熱、温泉水（地熱）、太陽光など比較的安定した排熱源を想定しており、火葬炉から排出される排ガスのように短時間に大きく熱量が変化する排熱源を想定していない。この為、排熱源の熱量が安定しており、発電機で発生した電力とこの電力を消費する各装置の総合的な消費電力とのバランスがとれている場合は、本従来技術のポイントである加熱度を目安とする帰還制御が有効であるが、火葬システムに本公報の排熱発電装置を組み込んで火葬システムを運転した場合、排熱源からの熱量が大きく変動するため、加熱度に注目した制御では火葬システム全体を安定して運転することが出来ないという問題が生じる。【００２５】  より具体的に説明すると、火葬の初期段階（〜約１０分）、中期段階（約１０分〜約２５分）、後期段階（約２５分〜）では燃焼する対象物、発生する熱量、排ガス流量、火葬炉の温度などが大きく変動し、火葬システムに発電システムを組���込んだ場合はこれらの要因を考慮して設計することが必須である。一方、第３の従来技術による排熱発電装置では、これらの要因と対応する制御方法については何ら記載されておらず、火葬システムに第３の従来技術による排熱発電装置を組み込んだ場合は、排熱発電装置からの電力を用い火葬システムを安定して運転することが出来ないという問題がある。【００２６】  また特許文献４記載の第４の従来技術は、工業用プラント等からの排熱流量あるいは排熱温度が変化した場合、蒸気流量制御系、蒸気圧力制御系、熱水レベル制御系など様々な制御系を駆使して常に安定した発電機出力を得るとしているが、作動媒体が水であり、排ガス温度が低温になると実質的に発電することが出来なくなり、火葬システム用途の発電システムとしては適さない。【００２７】  さらに工業用プラント等からの排熱流量あるいは排熱温度が比較的長時間安定している場合は、この第４の従来技術による各種制御系が有効であるが、上述したように火葬システムでは排熱流量あるいは排熱温度が短時間で大きく変動するため、第４の従来技術による各種制御系が有効に機能せず、発電機からの電力を用い火葬システムを安定して運転することが出来ないという問題がある。【００２８】  また特許文献５記載のバイナリー発電システムは、低沸点作動媒体（炭化水素、アンモニアなど）を蒸気化して蒸気タービンを駆動し発電するバイナリー発電システムであり、バイナリー発電の特徴である低温の熱源からも熱交換により発電する一方、混圧タービンを用いて効率よく発電するとしている。しかしながら、熱源としては比較的安定している地熱流体（熱水または蒸気）や工場設備の温排水を想定しており、火葬システムのように排熱流量あるいは排熱温度が短時間で大きく変動するシステムにこの従来技術によるバイナリー発電システムを組み込むと、変動が小さい場合は機能するものの変動が大きくなった場合、混圧タービンによる制御だけでは安定した火葬システムの運転を行うことが出来ないという問題がある。
【課題を解決するための手段】
【００２９】  本発明は上記課題を好適に解決した火葬システムを提供する。【００３０】  本発明の火葬システムは、遺体を燃焼するための燃焼炉と、前記燃焼炉からの排ガスが流入し、前記排ガスの熱を媒体と熱交換する排ガス／媒体熱交換器と、前記媒体が注入され、この媒体の温度変動を抑制する第１のバッファタンクと、前記第１のバッファタンクからの前記媒体の熱により低沸点作動媒体を加熱・蒸発させ作動媒体蒸気を生成する蒸発器と、前記作動媒体蒸気により駆動される媒体タービンと、前記媒体タービンにより駆動され発電する発電機と、火葬システムを構成する各装置に前記発電機で発電した電力と、前記各装置で必要とする電力の不足電力を外部電源から供給する電力制御装置とを備えている。【００３１】  また、前記蒸発器から流出する前記媒体が注入され、この媒体の温度変動を抑制して前記媒体を前記排ガス／媒体熱交換器に供給する第２のバッファタンクを設けるように構成しても良い。【００３２】  さらに、前記第１のバッファタンク及び前記第２のバッファタンク内の前記媒体の温度がそれぞれ設定温度を超えると、前記各バッファタンク内の前記媒体を冷却するための冷却媒体が前記第１のバッファタンク及び前記第２のバッファタンク内に注入されるように構成しても良い。【００３３】  また、前記第１のバッファタンクと前記蒸発器の間に設けられた前記媒体を流す媒体流路に、前記媒体を冷却するための冷却媒体を注入する冷却媒体注入手段を有し、前記蒸発器に流入する前記媒体の温度が設定温度範囲内となるよう前記冷却媒体注入手段を制御する構成であっても良い。【００３４】  また、前記第１のバッファタンクと前記蒸発器との間に設けた第１の流量調整バルブと、前記第１のバッファタンクと前記蒸発器との間から前記排ガス／媒体熱交換器に前記媒体を帰還するバイパス流路と、前記バイパス流路に設けた第２の流量調整バルブと、を備え、前記蒸発器から流出する前記媒体の温度が設定温度範囲内となるように前記第１の流量調整バルブと前記第２の流量調整バルブとを制御するように構成しても良い。【００３５】  また、前記第１のバッファタンクから流出する前記媒体を吸引して前記蒸発器に送出する第１の媒体循環ポンプと、前記第２のバッファタンクから流出する前記媒体を吸引して前記前記排ガス／媒体熱交換器に送出する第２の媒体循環ポンプと、前記第１のバッファタンク及び前記第２のバッファタンク内の各前記媒体の第１液面高さ及び第２液面高さをそれぞれ測定する第１レベルメータ及び第２レベルメータと、を備え、前記第１液面高さと前記第２液面高さの差が一定値となるように、前記第１の媒体循環ポンプ及び前記第２の媒体循環ポンプがそれぞれ前記媒体の流速を制御するように構成しても良い。【００３６】  また、前記第１レベルメータ及び第２レベルメータからの信号を参照し、前記第１液面高さと前記第２液面高さがそれぞれ設定値に達したと判断された場合、前記第１のバッファタンク及び前記第２のバッファタンクに設けられた排出バルブが開き、前記第１のバッファタンク及び前記第２のバッファタンク内の前記媒体が排出されるように構成しても良い。【００３７】  また、前記火葬システムに設けた各種センサからの情報を演算して制御信号を生成し、この制御信号により前記火葬システムを構成する各装置のうちの少なくとも一つの装置を制御する電力情報処理装置を設けるように構成しても良い。【００３８】  また、前記火葬炉が並列に複数設けられ、前記火葬炉からの各排ガスが共通の前記排ガス／媒体熱交換器に流入するように構成しても良い。【００３９】  また、前記排ガス／媒体熱交換器から排出された排ガスの熱を空気と熱交換し熱風を生成する熱風回収熱交換器と、前記熱風を前記火葬炉に送出する熱風回収路とを備えるように構成しても良い。【００４０】  また、前記火葬炉の燃焼段階の情報を参照して、前記排ガス／媒体熱交換器、前記蒸発器、前記媒体タービン、前記発電機、前記冷却媒体注入手段、前記第１の流量調整バルブ、前記第２の流量調整バルブ、前記第１の媒体循環ポンプ、前記第２の媒体循環ポンプ、前記第１のバッファタンク及び前記第２のバッファタンクに前記冷却媒体を注入する手段の少なくとも一つを制御するように構成しても良い。【００４１】また、前記外部電源に異常が発生した場合に備えるバックアップ電源を設け、前記外部電源からの電力が停止又は低下した場合は、前記外部電源から前記バックアップ電源に切り替えるように構成しても良い。
【発明の効果】
【００４２】  本発明による火葬システムは、火葬炉からの排ガスを熱交換器に通すことにより排ガスの熱エネルギーを温水の熱エネルギーに変換し、さらに、この温水をバッファタンクを介して蒸発器に通して低沸点作動媒体を蒸気化させ、発生した作動媒体蒸気により蒸気タービンを駆動し発電するバイナリー発電方式を用いている。そして発電した電力を火葬システムを構成する各装置に供給することにより、火葬システムの消費電力を大幅に低減することが出来る。【００４３】  また火葬炉から排出される排ガスは短時間に大きく熱量が変化するという特徴があるが、本発明による火葬システムは安定して発電を行い、かつ、火葬システムで必要とする不足電力を外部電源またはバックアップ電源から供給することにより安定して火葬システムを運転することが出来る。【００４４】  また火葬炉からの排熱流量、排熱温度、温度上昇率などの情報が予め予測可能なので、この予測情報を用いて発電システムを効率よくかつ安定的に制御することが出来る。【００４５】  さらに本発明の発電システムとしては、低沸点媒体を蒸気化させて媒体タービンを駆動するバイナリー発電方式を用いているので、火葬炉から排出される排ガス温度が低下した場合においても発電可能であり、一日当たりの発電期間を長くすることが可能である。この為、発電効率を向上することが出来る。【００４６】  また排ガス／温水熱交換器からの温水の温度が設定値を超えないように、蒸発器に流入する温水の熱量の制御を行うため蒸発器の安全性が保たれ、火葬システム特有の問題である過酷な温水の変動に対してもバイナリー発電を安定して運転することが出来る。【００４７】  さらに排ガス／温水熱交換器からの温水の温度が指定した規定値に達すると、注水装置から冷却水が蒸発器に流入する温水に注入され、温水の温度を低下するように制御を行う。従って、火葬炉の異常燃焼などにより排ガス温度が異常に高くなった場合でも、バイナリー発電システムが緊急停止するようなことは無く、過酷な温水の変動に対してもバイナリー発電を安定して運転することが出来る。【００４８】  また排ガス／温水熱交換器からの高温の温水が一度第１のバッファタンクに流入し、第１のバッファタンク内の温水温度と平均化された後にこの温水が蒸発器に供給されるので、排ガスの排熱量が大幅に変化しても安定して発電することが出来る。【００４９】  また第１のバッファタンクとは別に、蒸発器からの温水が第２のバッファタンクに流入し、第２のバッファタンク内の温水温度と平均化された後にこの温水が排ガス／温水熱交換器に戻されるので、排ガス／温水熱交換器内の温水温度が過剰に上昇することがない。この為、排ガス／温水熱交換器の信頼性が高く、かつ、排ガス／温水熱交換器からの温水温度の変動がより小さくなるので、安定した運転により効率の良い発電を行うことができるという特徴がある。【００５０】  さらに上記２つのバッファタンク内に設けられた温度計の温水温度が上限設定値に達すると、注水装置から上記２つのバッファタンクに各注水バルブを介して冷却水が注入され、バッファタンク内の温水温度が上限設定値以下となるように電力情報処理装置により各注水バルブが自動的に制御される。【００５１】また第１及び第２のバッファタンクに各温水の液面レベルを測定するためのレベルメータがそれぞれ設けられ、これらのセンサーからの信号を用いて第１及び第２のバッファタンクの液面レベルの差がほぼ一定となるように、温水循環ポンプを常時制御する。これにより、２つの温水循環ポンプの吐出量の性能が完全に同一で無くアンバランスであっても、一方のバッファタンクの温水残量が増大し続け、他方のバッファタンクの温水残量が減少し続ける不具合は生じず、安定して発電システムを運転することが出来る。【００５２】またバッファタンクの下部に排出バルブを設け、バッファタンク内に設けられた各レベルメータの測定値が設定値に達すると排出バルブが開き、バッファタンクの温水を自動排出するように制御してバッファタンクの温水がオーバーフローしないように構成している。さらに、排出バルブによっても温水の排出が十分でない場合は、各バッファタンクの側面上部に設けられたオーバーフローノズルを介してバッファタンク内の温水が排出されるように構成されており、２重のオーバーフロー対策が施されている。【００５３】  また、火葬炉からの排ガスを熱交換器に通すことにより排ガスの熱エネルギーを温水の熱エネルギーに変換し、さらに、この温水を蒸発器に通して低沸点媒体を蒸気化させ、発生した蒸気により媒体タービンを駆動し発電するバイナリー発電方式を用いているので、ダストが大量に含まれる火葬炉からの排気ガスが直接蒸発器に流入することが無く、この為、ダストが大量に含まれる火葬炉からの排気ガスの熱量を効率的に電気エネルギーとして回収することが出来る。
【図面の簡単な説明】
【００５４】
【図１】本発明の第１の実施の形態に係わる火葬システムを示す構成図である。
【図２】本発明の第１の実施の形態に係わる火葬システムを構成するバイナリー発電システムの構成図である。
【図３】本発明による火葬システムの電力制御動作を説明するためのブロック図である。
【図４】主燃炉での燃焼方法を説明するための説明図である。
【図５】再燃炉温度の時間変化を表すグラフである。
【図６】再燃炉からの排ガス流量の時間変化を表すグラフである。
【図７】蒸発器の流入口における温度の時間変化を表すグラフである。
【図８】本発明の火葬システムで発電した発電量と、火葬システムを構成する各設備の設備使用電力を合計した総設備使用電力の時間変化を表すグラフである。
【図９】本発明の第２の実施の形態による係わる火葬システムを示す構成図である。
【図１０】第１の従来技術による発電システムの構成例を示す系統図である。
【図１１】第２の従来技術による移動式一体型火葬設備を示す斜視図である。
【図１２】第３の従来技術による排熱発電装置の構成図である。
【図１３】第４の従来技術による廃熱利用の発電プラントの構成を示すブロック図である。
【図１４】第５の従来技術によるバイナリー発電システムのブロック図である。
【発明を実施するための形態】
【００５５】  次に本発明の実施の形態について図１〜図４を参照して詳細に説明する。
【００５６】＜第１の実施の形態＞  図１は本発明の第１の実施の形態に係わる火葬システムの構成図、図２は火葬システムを構成するバイナリー発電システム１９の構成図、図３は本発明による火葬システムの電力制御動作を説明するためのブロック図であり、図４は主燃炉１１での燃焼方法を説明するための説明図である。本発明による火葬システムは、棺１７を載置するお別れ台１６と、主燃バーナ１２を用いて遺体や副葬品、棺などの燃焼を行う主燃炉１１と、主燃炉１１からの排ガスを完全燃焼させるための再燃炉１３と、棺１７を主燃炉１２に自動で納棺可能とする自動納棺装置１５とを備えている。
【００５７】  また主燃炉１１からの排ガスは、再燃炉１３に連通した共通煙道１８Ａ及び排気ダクト１８Ｂを通って、バイナリー発電システム１９に導かれる。また共通煙道１８Ａからの排ガスを冷却するためと火葬システムに異常な燃焼などが生じた場合に備えて、排ガス補助冷却装置兼非常排気ダクト１８Ｃを設けている。バイナリー発電システム１９を構成する図２に記載の排ガス／温水熱交換器２１に導かれた排ガスは、排ガス／温水熱交換器２１内のパイプの外側を流れる冷媒（水）と熱交換して熱エネルギーを伝達し、さらに、熱風回収熱交換器１１０に流入する。流入した排ガスは空気と熱交換し、排ガスにより熱せられた熱風は熱風回収路１１６を介して主燃炉１１に導かれる。これにより主燃炉１１の燃焼効率を高めるとともに、燃料の節減と燃焼時間の短縮を図ることが出来る。また排ガス／温水熱交換器２１からは図２の上矢印の向きに排ガスが排出され、図１の熱風回収熱交換器１１０に流入する。なお冷媒は水に限らず、排ガスと熱交換する媒体であればよい。
【００５８】  熱風回収熱交換器１１０から流出した排ガスは、排ガスの温度を下げるため吸気口１１１から取り入れた外気とともに電気集塵機１１２に流入し、ここで排ガス中に含まれるダストが除去される。次に電気集塵機１１２から流出した排ガスは触媒装置１１３に送られ、ここで排ガス中に含まれる窒素酸化物、臭気成分、ポリ塩素化ジベンゾダイオキシンやポリ塩素化ジベンゾフラン等のダイオキシン類が除去される。触媒装置１１３から流出した排出ガスは、排風機１１４により吸引され排気筒１１５を介して大気中に排出される。
【００５９】  このようにして本発明による火葬システムは、主燃炉１１で生じた大量のダスト及びダイオキシン類などの有害物質を除去しクリーンな空気に再生して大気中に還元するとともに、排ガスが有する高温の熱エネルギーをバイナリー発電システムを用いて発電し、発電した電力を火葬システムを構成する各装置に供給することにより、各装置で必要とする電力の一部又は全てをまかなうことが可能となり、火葬システム全体としての省エネルギー化を大幅に向上することが出来る。
【００６０】  前述したように火葬炉からの排ガス温度、排熱量および排ガス流量は火葬時に大きく変化し、これが、さらなる省エネルギー化を目指した次世代火葬システムを構築する上で極めて重要なポイントである。次に図４を参照して、火葬炉の燃焼方法について具体的に説明する。
【００６１】  火葬方法は大きく４つの段階に分けられ、初期段階、中期段階、後期段階、終了段階の順に進み、火葬開始から収骨まで約１時間を要し、このサイクルが１日１炉当たり１〜７回繰り返して行われる。初期段階（燃焼開始〜約１０分）では、主燃バーナ１２の火炎を最大にして着火を促進するとともに、主燃炉１１の側壁から供給される２次空気、３次空気を多めに供給し主として棺を燃焼させる。このような燃焼方法により、棺は遺体の場合に比して急激に燃焼する。このため、排ガスの温度は急上昇し、また大量の排ガスが一時的に発生する。
【００６２】  次に中期段階では燃焼する対象が棺から遺体及び副葬品になり、遺体の脂肪の多寡により燃焼の仕方および排ガス流量が大きく変化する。脂肪の多い遺体の場合は激しく燃焼するので、主燃バーナ１２の火炎の大きさを極力小さくし、主燃炉１１側壁からの２次空気、３次空気を最大にして供給し自燃による燃焼が暴走しないように制御する。このような燃焼方法により、脂肪の多い遺体の場合排ガス流量は大きくなる一方、脂肪が少ない遺体の場合は脂肪の多い遺体の場合に比して燃焼が弱く、排ガス流量は脂肪の多い遺体を燃焼した場合と比して、およそ半分以下となることが経験上わかっている。
【００６３】  次に後期段階では遺骨周りに残っている部分遺体を燃焼させるが、主燃バーナ１２の火炎が強すぎると遺骨が砕けて収骨することが困難となるので、火炎と主燃炉１１側壁からの２次空気と３次空気の供給をともに絞るように制御する。このような燃焼方法により、排ガス流量はピーク時の約１／２〜１／３に低減する。
【００６４】  次に終了段階では、主燃炉１１を空気冷却し骨受皿（図示せず）上の遺骨を前室１４、さらにお別れ台１６に引き出し収骨が行われる。このとき排ガス流量は０レベルまで低下する。一つの火葬炉は上述した４つの段階を順次繰り返して作業が行われるが、実際の火葬システムでは一般的に２つ〜４つの火葬炉が一系統として一体的に構成される。すなわち、２つ〜４つの主燃炉１１、再燃炉１３、共通煙道１８Ａ、排気ダクト１８Ｂ、排ガス補助冷却装置兼非常排気ダクト１８Ｃがそれぞれ独立して設けられ、２つ〜４つの排気ダクト１８Ｂから排出される排ガスが、ともに共通の排ガス／温水熱交換器を備えたバイナリー発電システム１９に流入するように構成される。
【００６５】  各火葬炉の火葬開始時刻はまちまちであり、各火葬炉の火葬段階（初期段階〜終了段階）は異なるものの、一系統の各火葬炉ではそれぞれ平行して火葬が行われる。従って、各火葬炉の火葬開始時刻が重なった場合は、バイナリー発電システム１９に流入する排ガスの熱量が火葬炉一つの場合に比べて数倍の大きさで変動する。火葬開始時刻を意図的にずらせばバイナリー発電システム１９に流入する排ガスの熱量の変動を抑制することが可能であるが、実際上、火葬開始時刻を意図的にずらすことは困難である。従って本発明の火葬システムでは、各火葬炉が火葬段階のどの段階（初期段階〜終了段階）にあるのかを把握し、電力情報処理装置２１１Ｂがこの情報を用いて、バイナリー発電システム１９が安定かつ効率的に発電するように制御しても良い。
【００６６】  なお説明を簡単にするために上記において火葬を４つの段階に分けて説明したが、実際はより多くの段階に細かく分けて制御を行っている。また、主燃炉１１、再燃炉１３の温度を測定するための温度計、圧力を測定するための圧力計、酸素濃度を測定するための酸素濃度計、排煙濃度を測定するための排煙濃度計を設け、電力情報処理装置２１１Ｂがこれらのセンサからの情報を用いて、バイナリー発電システム１９が安定かつ効率的に発電するように制御するように構成しても良い。
【００６７】  次に図２を参照して、バイナリー発電システム１９について詳細に説明する。排気ダクト１８Ｂからの排ガスは排ガス／温水熱交換器２１で冷媒（水）と熱交換して冷媒を温水化する。排ガス／温水熱交換器２１で生成された温水は、バッファタンク２１５Ａの上方からバッファタンク２１５Ａ内へ注水され、さらにバッファタンク２１５Ａの下方から温水循環ポンプ２２Ａで吸引され流量調整バルブ２１２Ｂを介して蒸発器２３に送出（吐出）される。
【００６８】蒸発器２３から流出した温水は、バッファタンク２１５Ｂの上方からバッファタンク２１５Ｂ内へ注水され、さらにバッファタンク２１５Ｂの下方から温水循環ポンプ２２Ｄで吸引され排ガス／温水熱交換器２１に送出（吐出）される。このようにして温水は、排ガス／温水熱交換器２１→バッファタンク２１５Ａ→温水循環ポンプ２２Ａ→流量調整バルブ２１２Ｂ→蒸発器２３→バッファタンク２１５Ｂ→温水循環ポンプ２２Ｄ→排ガス／温水熱交換器２１の経路で循環する。
【００６９】  蒸発器２３では、アンモニア、炭化水素、イソブタンなどの低沸点作動媒体と温水との間で熱交換が行われて作動媒体が加熱され、作動媒体が蒸気化する。蒸発器２３で生成された作動媒体蒸気は、媒体タービン２４に送られ媒体タービン２４を駆動する。さらに媒体タービン２４の駆動軸が回転することにより駆動軸と連結した発電機の駆動軸が回転し発電機２５が発電する。なお図２では媒体タービン２４と発電機２５を独立した装置として構成した場合を示したが、媒体タービン２４と発電機２５とを一軸一体構成としてもよい。このような構成により、バイナリー発電システムの小型化を図ることが出来る。
【００７０】  発電機２５で生成された交流電力は高周波整流器２６で直流に変換され、さらにＤＣ／ＡＣコンバータで５０Ｈｚ又は６０Ｈｚなどの商用電力に変換され電力出力端子２８に出力される。なお発電機２５の出力側にインバータを設け、このインバータにより発電機２５に制動をかけ、発電機２５の回転数を制御しながら発電効率を最大化するように制御しても良い。
【００７１】  一方媒体タービン２４からの作動媒体蒸気は凝縮器２９に流入し、ここで作動媒体蒸気と冷却水との熱交換が行われ、作動媒体蒸気が凝縮し液化する。冷却水は、冷却水循環ポンプ２２Ｃにより凝縮器２９と冷却塔２１０との間を循環する。凝縮器２９で温度上昇した冷却水は冷却塔２１０で冷却されて凝縮器２９に戻りこのサイクルを繰り返し、凝縮器２９で作動媒体蒸気との熱交換を安定して継続する。このとき冷却水循環ポンプ２２Ｃは、電力情報処理装置２１１Ｂからの制御信号を受けて冷却水の流量を制御する。すなわち電力情報処理装置２１１Ｂは、凝縮器２９に設けられた温度センサ及び圧力センサからの信号により、発電が安定して最大効率化するように制御を行う。
【００７２】  凝縮器２９から流出した作動媒体は作動媒体ポンプ２２Ｂで吸入され、蒸発器２３に送出されて再度温水と熱交換を行い蒸気化する。このようなサイクルを繰り返して、バイナリー発電が継続的に行われる。なお電力情報処理装置２１１Ｂは、凝縮器２９に設けられた温度センサ及び圧力センサからの信号により作動媒体ポンプ２２Ｂを用いて作動媒体の流量を制御し、発電機２５の出力電力が安定し最大効率化するように制御を行う。
【００７３】  排ガス／温水熱交換器２１から蒸発器２３に送出される温水の温度は、一般的には排ガス／温水熱交換器２１に送出される排ガス温度および熱量などに従って変化するため、排ガス／温水熱交換器２１に送出される排ガス温度および熱量などの変化に伴って、温水の温度は大きく変化する。この為、蒸発器２３に流入する温水の温度が許容値を超えると、バイナリー発電システムの運転が不安定になったり、最悪の場合、作動媒体蒸気の圧力が極端に高まり蒸発器２３などが破壊する恐れがある。
【００７４】  この防止対策として本発明の火葬システムでは、２系統のバッファタンク２１５Ａ、２１５Ｂを設け、このバッファタンク２１５Ａ、２１５Ｂに流入する温水の温度をバッファタンク２１５Ａ、２１５Ｂ内の温水温度と平均化して、流入する温水温度の変動を大幅に低減するように構成している。図２を参照して具体的に説明すると、排ガス／温水熱交換器２１と温水循環ポンプ２２Ａとの間にバッファタンク２１５Ａが設けられ、蒸発器２３と温水循環ポンプ２２Ｄとの間にバッファタンク２１５Ｂが設けられる。各バッファタンク２１５Ａ、２１５Ｂには、バッファタンク２１５Ａ、２１５Ｂ内の温水の残量、換言すると、温水の液面高さを測定するためのレベルメータ２１６Ａ、２１６Ｂがそれぞれ設けられ、またバッファタンク２１５Ａ、２１５Ｂ内の温水温度を測定するための温度計２１７Ａ、２１７Ｂがそれぞれ設けられている。温度計２１７Ａ、２１７Ｂからの温度信号は電力情報処理装置２１１Ｂに出力されるが、図２ではこの信号線を省略している。なお、温度計２１７Ｃ、２１７Ｄについても同様に信号線を省略している。
【００７５】  排ガス／温水熱交換器２１からの温水はバッファタンク２１５Ａの上方から注入され、バッファタンク２１５Ａの下方から温水循環ポンプ２２Ａにより蒸発器２３に供給される。一方、蒸発器２３からの温水はバッファタンク２１５Ｂの上方から注入され、バッファタンク２１５Ｂの下方から温水循環ポンプ２２Ｄにより排ガス／温水熱交換器２１に供給される。このとき、電力情報処理装置２１１Ｂは、レベルメータ２１６Ａ，２１６Ｂからの測定信号によりバッファタンク２１５Ａ、２１５Ｂ内の温水残量、すなわち温水の液面高さを常時監視し、これらの温水残量が等しくなるように、平均流速に対する変化量を温水循環ポンプ２２Ａ、２２Ｄによりそれぞれダイナミックに制御する。すなわち、バッファタンク２１５Ａ、２１５Ｂ内の温水の液面高さをそれぞれＨ１，Ｈ２とすると、Ｈ１＝Ｈ２となるよう温水の単位時間当たりの流量、すなわち流速を温水循環ポンプ２２Ａ、２２Ｄによりダイナミックに制御する。
【００７６】  具体的にはＨ１＞Ｈ２の場合、温水循環ポンプ２２Ａの回転数を上げ、バッファタンク２１５Ａからの流出量を増大する一方、温水循環ポンプ２２Ｂの回転数を下げ、バッファタンク２１５Ｂからの流出量を減少する。また、Ｈ１＜Ｈ２の場合は、上記の場合と逆の制御を行う。このような制御により、温水循環ポンプ２２Ａ，２２Ｂの性能が完全に同一で無くアンバランスの場合に、ポンプの吐出量が２つの温水循環ポンプ２２Ａ，２２Ｂで異なり、一方のバッファタンクの温水残量が増大し続け、ついには温水がバッファタンクからオーバーフローをおこし、他方のバッファタンクの温水残量が減少し続け、バッファタンクの温水残量が空になるという不具合を防止することができる。なお上記の説明において、Ｈ１＝Ｈ２となるよう制御するとして説明したが、必ずしもこのように制御を限定する必要はなく、ΔＨ＝｜Ｈ１−Ｈ２｜が一定値となるように制御すれば同様な効果が得られる。
【００７７】  またバッファタンク２１５Ａ、２１５Ｂの下部に排出バルブ（図示せず）を設け、バッファタンク内に設けられたレベルメータ２１６Ａ、２１６Ｂの測定値が設定値に達すると、排出バルブが開き、バッファタンク２１６Ａ、２１６Ｂの温水を排出するよう自動制御しバッファタンク２１６Ａ、２１６Ｂの温水がオーバーフローしないように構成している。さらに、排出バルブによっても温水の排出が十分でない場合は、各バッファタンク２１６Ａ、２１６Ｂの側面上部に設けられたオーバーフローノズル（図示せず）を介してバッファタンク２１６Ａ、２１６Ｂ内の温水が排出されるように構成されており、２重のオーバーフロー対策が施されている。
【００７８】  次に温水温度の制御について説明する。電力情報処理装置２１１Ｂは温度計２１７Ａ，２１７Ｂを参照して、これらの温度が上昇し各設定値に達すると、注水バルブ２１４Ａ又は注水バルブ２１４Ｂを開いて、注水装置２１３から冷水をバッファタンク２１５Ａ又は／及びバッファタンク２１５Ｂに注入し、バッファタンク２１５Ａ及びバッファタンク２１５Ｂ内の温水温度が各設定値以下となるように制御する。さらに、蒸発器２３に流入する温水の温度を測定する温度計２１７Ｃを参照して、この温度が上昇し設定値に達すると、注水バルブ２１４Ｃを開きバッファタンク２１５Ａからパイプを介して温水循環ポンプ２２Ａへ流れる温水へ冷水を注入し、蒸発器２３に流入する温水の温度が設定値以下となるように制御する。この機構により、何らかの異常により温水が高温となって蒸発器２３に流入するような場合は、温水循環ポンプ２２Ａに接続するパイプに直接冷水が注水されて温水温度は一気に低下するので、異常時においても火葬システム全体を安定して運転することが出来る。なお上記において、注水装置２１３から冷水をバッファタンク２１５Ａ又は／及びバッファタンク２１５Ｂ、温水循環ポンプ２２Ａに接続するパイプに注入するとして説明したが、冷水に限らず、高温の媒体を冷却する媒体、例えば排ガス／温水熱交換器２１で排ガスと熱交換する媒体であっても良い。
【００７９】  次に本発明のバイナリー発電システム１９の別の温水温度安定化方法について説明する。バッファタンク２１５Ａと蒸発器２３との間にバイパス流路が設けられており、バッファタンク２１５Ａからの温水の温度又は熱量が設定値を超えないように、電力情報処理装置２１１Ｂにより流量調整バルブ２１２Ａと流量調整バルブ２１２Ｂを用いて、蒸発器２３に流入する温水の流速が制御される。具体的には蒸発器２３から流出する温水の温度Ｔoutを測定する温度計２１７Ｄを参照して、この温度Ｔoutが常時設定温度Ｔout（設定値）となるように、流量調整バルブ２１２Ａ、２１２Ｂを制御する。すなわち、温度ＴoutがＴout（設定値）を超えると、流量調整バルブ２１２Ｂを絞り蒸発器２３に流入する温水の流量を抑制し、逆に、流量調整バルブ２１２Ａを開いて排ガス／温水熱交換器２１に直接戻る温水の流量を増大するように制御する。上記と逆に、温度ＴoutがＴout（設定値）より低下した場合は、流量調整バルブ２１２Ｂを開き蒸発器２３に流入する温水の流量を大きくし、逆に、流量調整バルブ２１２Ａを絞って排ガス／温水熱交換器２１に直接戻る温水の流量を抑制するように制御する。上記の制御により、火葬システム特有の問題である過酷な温水の変動に対しても、蒸発器２３に流入する温水の温度変動を大幅に抑制することが可能であり、バイナリー発電を安定して運転することが出来る。
【００８０】  また排ガス／温水熱交換器２１からの温水の温度が低下した場合、一般的なバイナリー発電システムでは発電が停止してしまうが、本発明の火葬システムでは、電力情報処理装置２１１Ｂが流量調整バルブ２１２Ａと流量調整バルブ２１２Ｂを制御して、蒸発器２３に流入する温水の流量を増大させ、流量調整バルブ２１２Ｂを介して排ガス／温水熱交換器２１に戻る温水の流量を抑制するように制御する。このような制御を行うことにより、バッファタンク２１５Ａからの温水の温度が低下した場合、蒸発器２３に流入する温水の温度が低下しないように制御することが出来る。換言すると、排ガスの温度、および熱量が大幅に変化しても本発明による火葬システムは、蒸発器２３に流入する温水の温度又は熱量が一定となるように制御されるので安定して発電を行うことが出来、発電した電力を火葬システムを構成する各装置に安定的に供給することにより、火葬システム全体を常に安定して運転することが出来る。
【００８１】  なお上記の説明において、電力情報処理装置２１１Ｂは温度計２１７Ａ、２１７Ｂ、２１７Ｃからの温度情報を用いて、注水バルブ２１４Ａ、２１４Ｂ、２１４Ｃを制御するとして説明したが、火葬炉からの排ガスの温度及び熱量は図４を用いて説明したように火葬開始時間からの時間によっておおよそ推定することが出来るので、電力情報処理装置２１１Ｂはこれらの情報を用いて予め制御データを演算しておき、注水バルブ２１４Ａ、２１４Ｂ、２１４Ｃを制御するようにしても良い。
【００８２】  次に図３を参照して、主としてバイナリー発電システム１９で発電した電力の火葬システムを構成する各装置への供給と、各装置から電力情報処理装置２１１Ｂに入力する各種情報を用いて行う本発明の火葬システムの電力制御について説明する。
【００８３】  図３において太線は電力の流れを、細線は制御信号を、破線は各装置に搭載した各種センサからの検知信号を示す。なお、１１６は熱風回収熱交換器１１０で発生した熱風を主燃炉１１に送風するための熱風回収路を示す。また図３で、電力制御装置２１１Ａと電力情報処理装置２１１Ｂはバイナリー発電システム１９の外部に存在する装置として記載しているが、電力制御装置２１１Ａと電力情報処理装置２１１Ｂはバイナリー発電システム１９の一部として構成しても良く、また電力制御装置２１１Ａと電力情報処理装置２１１Ｂを火葬システム制御装置３１の一部として構成しても良い。さらに、電力制御装置２１１Ａと電力情報処理装置２１１Ｂとを一体的に構成しても良い。すなわち、電力制御装置２１１Ａ、電力情報処理装置２１１Ｂ、火葬システム制御装置３１の組み合わせ構成は、ハードウェア、ソフトウェア、ファームウエアの構成に合わせて柔軟に行うことが出来る。また、電力情報処理装置２１１Ｂ、火葬システム制御装置３１の制御はソフトウェアでの制御が主であるが、一部ハードウェアで制御する構成であっても良い。
【００８４】  図３において、主として電力を制御する電力制御装置２１１Ａと、主としてアナログ信号又はデジタル信号を処理する電力情報処理装置２１１Ｂとを分けた構成について説明したが、この理由について説明する。電力制御装置２１１Ａは大電力を処理しているのでノイズを周辺に放射するが、このノイズが電力情報処理装置２１１Ｂ内部のアナログ回路又はノイズ耐性が弱い回路に混入すると、これらの回路が誤動作をおこし、電力情報処理装置２１１Ｂの制御が誤動作または不安定となる恐れがある。そこで、電力制御装置２１１Ａと電力情報処理装置２１１Ｂとの電源ラインの分離や電力情報処理装置２１１Ｂに対してシールドを施すなどを行い、電力制御装置２１１Ａから大量に発生するノイズが電力情報処理装置２１１Ｂに混入して電力情報処理装置２１１Ｂが誤動作をおこさないようにしている。
【００８５】  次に図３を参照して具体的に説明すると、バイナリー発電システム１９で発電した電力は電力制御装置２１１Ａが、火葬システムを構成する各装置、具体的には、主燃炉１１、再燃炉１３、バイナリー発電システム１９を構成する温水循環ポンプ２２Ａなどの電気機器、熱風回収熱交換器１１０、電気集塵機１１２、触媒装置１１３、排風機１１４、電力情報処理装置２１１Ｂを構成するＣＰＵ、メモリなどの電子機器、火葬システムの他の装置３０、具体的には図１に記載の主燃バーナ１２、自動納棺装置１５などに供給される。
【００８６】  一方、主燃炉１１、再燃炉１３、バイナリー発電システム１９、熱風回収熱交換器１１０、電気集塵機１１２などに搭載された各種センサ、具体的には流量計、各種温度計、圧力計、酸素濃度計、排煙濃度計等からの信号はそれぞれ電力情報処理装置２１１Ｂに入力し、これらの情報を用いて電力情報処理装置２１１Ｂで演算処理され、演算結果を基にして生成した制御信号を電力制御装置２１１Ａに出力する。
【００８７】  前述したように主燃炉１１及び再燃炉１３から排出される排ガスの温度及び熱量は大きく変動し、本発明によるバイナリー発電システム１９はこの変動による電力変動を極力抑制するように制御を行うが、ある程度の変動は避けられない。そこで、各装置で必要とする電力を算出し、不足分の電力については外部電源３２からの電力をバイナリー発電システム１９で発電した電力に加えて各装置に電力を供給し、各装置への電力供給が安定するように制御する。
【００８８】  またバイナリー発電システム１９で発電する電力、及び各装置が必要とする電力は火葬炉の運用状況から予め算出が可能であり、このことから電力情報処理装置２１１Ｂは算出した電力情報を用いて、火葬システム全体及び火葬システムを構成する各装置が電力不足にならないように制御を行うように構成しても良い。
【００８９】  またバックアップ電源３３は、外部電源３２が事故あるいは自然災害などで一時的に使用できない場合に備えて、バックアップする役割を有している。すなわち、外部電源３２からの電源供給が停止した場合、電力情報処理装置２１１Ｂからの制御信号又は外部電源３２からの信号により直ちにバックアップ電源３３が起動し、電力制御装置２１１Ａへの電力供給を外部電源３２からバックアップ電源３３に切り替える。火葬システムの特徴として、いかなる場合であっても火葬が安定して行われることが必要であり、バックアップ電源３３は非常時に有効であるが本火葬システムには必須の装置ではない。
【００９０】  次に図５〜図８を参照して本発明の火葬システムにおける実験データについて説明する。図５は、図１に示す再燃炉１３における再燃炉温度の時間変化を表すグラフであり、並列運転する２つの火葬炉、Ａ号炉とＢ号炉をほぼ同時に運転した場合について、Ａ号炉の温度変化を破線でＢ号炉の温度変化を実線で示している。ここで、Ａ号炉の共通煙道からの排ガスとＢ号炉の共通煙道からの排ガスとは共通の排気ダクト１８Ｂに排出され、バイナリー発電システム１９の排ガス／温水熱交換器２１に流入する。
【００９１】  一日の火葬運転の開始に先立って、主燃バーナ１２と再燃バーナを共に稼働し、Ａ号炉とＢ号炉の暖気運転を行う。実験では、Ａ号炉、Ｂ号炉の暖気運転をそれぞれt51，t51’時間だけ運転し、これらの暖気運転により各再燃炉の温度は再燃炉の設定温度Ｔ２近くまで上昇する。
【００９２】  暖気運転の後、主燃バーナ１２と再燃バーナの稼働停止に伴い各再燃炉１３の温度はいったん低下するが、その後、時刻t55でＡ号炉の運転が開始され、時刻t55’でＢ号炉の運転が開始されると、各再燃炉１３の温度はふたたび温度Ｔ２近辺まで上昇する。そして、Ａ号炉、Ｂ号炉でそれぞれt52，t52’時間だけ運転継続した後２つの火葬炉の運転停止に伴い、主燃炉１１の前面に設けられた断熱扉が開放され、外気が主燃炉１１及び再燃炉１３に流入し各再燃炉１３の温度が急速に低下する。その後、２回目の火葬に備えた暖気運転が再度時刻t56’，t56で開始し、以降は前述の作業が繰り返される。２回目の暖気運転は、主燃炉１１及び再燃炉１３とも一定温度以上に暖まった状態となっているので、暖気運転期間t53，t53’は１回目の暖気運転期間t51，t51’よりも大幅に短い。
【００９３】  次に図６を参照して、Ａ号炉、Ｂ号炉の各再燃炉１３からの排ガス流量の時間変化について説明する。横軸は図５と同一の時間軸であり、暖気運転、Ａ号炉、Ｂ号炉の稼働／停止の各タイミングも図５と同一であり、これは図７及び図８においても同様である。また縦軸はＡ号炉、Ｂ号炉の各再燃炉１３からの各排ガス流量を加算した排ガス流量を表す。前述したように、初期段階では排ガスが一時的に大量発生するが、グラフからも時刻t62，t63で排ガスが急増し、その後急減することが読み取れる。なお時刻t61で見かけ上の排ガス流量が急増しているのは、棺１７を主燃炉１１に入れる際に主燃炉１１前面の断熱扉を開くが、このときに一時的に空気が主燃炉１１および再燃炉１３に流入するためである。
【００９４】  次に図７を参照して蒸発器２３の流入口における温度、すなわち温度Tinの時間変化について説明する。温度Tinは暖気運転に伴い上昇し続け、Ａ号炉及びＢ号炉の運転開始に伴ってさらに急上昇し、温度Ｔ７２に達する。すなわち、図６からわかるように、火葬開始初期において大量の排ガス熱量が発生し、この熱量により火葬開始から時刻t71まで温度Tinが急上昇する。その後排ガス熱量の低下に伴って温度Tinは低下し続け、暖気運転の開始と共に一定温度Ｔ７１となり、その後Ａ号炉及びＢ号炉の運転開始に伴って上昇し、前述した動作を繰り返す。
【００９５】  本発明の火葬システムでは、排ガスの温度及び排ガス流量が大幅に変化し、排ガスの熱量が大幅に変化しても、上述した機構により蒸発器２３に流入する温水温度を安定化するよう制御している。次に、排ガスの熱量変化に対して、温度Tinの変動率がどの位抑制されるのかについて概算する。
【００９６】  １）排ガス温度の変動  図５から排ガス温度は温度Ｔ１〜Ｔ２の範囲で変動することから、変動率はＴ２／（（Ｔ１＋Ｔ２）／２）≒４４％となる。
【００９７】  ２）排ガス流量の変動率  図６から排ガス流量は流量Ｑ１〜Ｑ２の範囲で変動することから、変動率はＱ２／（（Ｑ１＋Ｑ２）／２）≒７０％となる。
【００９８】  ３）排ガス熱量の変動率  排ガス熱量が（排ガス温度）×（排ガス流量）に比例すると、排ガス熱量の変動率は、４４％＋７０％＝１１４％となる。
【００９９】  ４）温水温度を安定化する制御を行わないときの温水温度の変動率  排ガス熱量の変動率が温水温度の変動率に比例すると、温水温度を安定化する制御を行わないときの温水温度の変動率は１１４％となる。
【０１００】  一方、図７から温度Tinの変動率は、Ｔ７２／（（Ｔ７１＋Ｔ７２）／２）≒９％となる。このことから、本発明による温水温度の安定化制御により、温水温度を安定化する制御を行わないときの温水温度の変動率に対して９％／１１４％≒８％程度に変動を抑制できることがわかる。
【０１０１】  次に図８を参照して、本発明の火葬システムで発電した発電量と、火葬システムを構成する各設備の設備使用電力を合計した総設備使用電力の時間変化をについて説明する。図８において、破線はバイナリー発電システム１９で発電した発電量を示し、実線は総設備使用電力を示している。発電量はＡ号炉、Ｂ号炉の暖気運転終了と火葬開始時刻t55，t55’との間のタイミングで上昇し始め、図７の温度Tinがピークに達する時刻から５分〜１５分程遅れて、時刻t81近辺でピークに達する。その後は図７からわかるように温度Tinが低下し、これに応答して発電量も低下し、２回目の暖気運転が開始されるとふたたび発電量が増加し、以降はこのサイクルを繰り返す。
【０１０２】  一方、総設備電力はＡ号炉及びＢ号炉の火葬開始に伴って急激にピークに達する。これは図６からわかるように、この期間に排ガス流量がピークに達し、この大量の排ガスを処理するため排風機１１４の使用電力が急増するためである。その後、総設備電力は各設備の稼働に応じて増減するが、平均的には火葬終了に向かって次第に減少する。
【０１０３】  次に発電量を時間積分した発電積算量と、総設備電力を時間積分した総設備電力積算量との比、すなわち電気収支（＝発電積算量／総設備電力積算量）について説明する。図８から１回目の火葬における電気収支は５３％、２回目の火葬における電気収支は４６％となり、１回目と２回目の電気収支の平均は５０％と、高効率のバイナリー発電システム１９を実現していることがわかる。なお、２回目の電気収支が１回目の電気収支よりも見かけ上低いのは、図７からわかるように２回目の暖気運転の期間が短いことによる２回目の暖気運転中の温度Tinの低下に起因しており、火葬運転時における実質的な電気収支の低下を意味するものではない。
【０１０４】＜第２の実施の形態＞  次に図９を参照して本発明による火葬システムの第２の実施の形態について説明する。上記においてＡ号炉とＢ号炉を同時運転する場合について説明したが、より一般的に、運転のタイミングが独立した２炉以上の複数の火葬炉を並列的に配置し、これらを１セットとして構成するようにしても良い。
【０１０５】  図９は本発明の第２の実施の形態に係わる火葬システムの構成図であり、主燃炉１１−１〜１１−ｎと再燃炉１３−１〜１３−ｎが複数並列的に設けられ、再燃炉１３−１〜１３−ｎからの排ガスがまとめてバイナリー発電システム１９’に流入するように構成される。本実施の形態による火葬システムでは、各火葬炉が図４に記載の火葬段階のどの段階（初期段階〜終了段階）にあるのかをセンサからの情報を参照して把握し、電力情報処理装置２１１Ｂ’がこの情報を用いて、バイナリー発電システム１９’が安定してかつ効率的に発電するように制御を行っても良い。
【０１０６】  なお上記において、バッファタンク２１５Ａ、２１５Ｂの温水温度を測定する温度計として、それぞれ温度計２１７Ａ、２１７Ｂを設ける場合について説明したが、バッファタンク２１５Ａ、２１５Ｂの各温水流入口での温水温度と、バッファタンク２１５Ａ、２１５Ｂの各温水流出口での温水温度とを別々に測定するように、各温水流入口と各温水流出口に別々の温度計を設けるように構成しても良い。これにより、バッファタンク２１５Ａ、２１５Ｂにおける温度平滑化の効果をリアルタイムで常時確認することが可能であり、温度制御が正常に行われているか否かを迅速に把握することが出来る。
【符号の説明】
【０１０７】１１，１１−１〜１１−ｎ  主燃炉１２  主燃バーナ１３，  １３−１〜１３−ｎ再燃炉１４  前室１５  自動納棺装置１６  お別れ台１７  棺１８Ａ  共通煙道１８Ｂ  排気ダクト１８Ｃ  排ガス補助冷却装置兼非常排気ダクト１９，１９’  排ガス／温水熱交換器を備えたバイナリー発電システム１１０  熱風回収熱交換器１１１  吸気口１１２  電気集塵機１１３  触媒装置１１４  排風機１１５  排気筒１１６，１１６’  熱風回収路２１  排ガス／温水熱交換器２２Ａ、２２Ｄ  温水循環ポンプ２２Ｂ  作動媒体ポンプ２２Ｃ  冷却水循環ポンプ２３  蒸発器２４  媒体タービン２５  発電機２６  高周波整流器２７  ＤＣ／ＡＣコンバータ２８  電力出力端子２９  凝縮器２１０  冷却塔２１１Ａ，２１１Ａ’  電力制御装置２１１Ｂ，２１１Ｂ’  電力情報処理装置２１２Ａ，２１２Ｂ  流量調整バルブ２１３  注水装置２１４Ａ、２１４Ｂ、２１４Ｃ  注水バルブ２１５Ａ、２１５Ｂ  バッファタンク２１６Ａ、２１６Ｂ  レベルメータ２１７Ａ、２１７Ｂ、２１７Ｃ、２１７Ｄ  温度計３０  火葬システムの他の装置３１  火葬システム制御装置３２  外部電源３３  バックアップ電源
【要約】  火葬炉で発生した排ガスの熱エネルギーを用いて発電し、発電した電力を火葬システムを構成する各装置に供給することによりエネルギー効率を向上する。火葬システムは、再燃炉からの排ガスの熱を媒体と熱交換する排ガス／温水熱交換器（２１）と、媒体の温度変化を抑制するバッファタンク（２１５Ａ）及び流量調整バルブ（２１２Ａ，２１２Ｂ）とを有する。さらに、媒体の熱により低沸点作動媒体を加熱・蒸発させ作動媒体蒸気を生成する蒸発器（２３）により媒体タービン（２４）を駆動し発電機（２５）で発電する。さらにバッファタンク（２１５Ｂ）を設け、蒸発器（２３）から排ガス／温水熱交換器（２１）に流入する媒体の温度変化を抑制する。また、電力制御装置は、火葬システムを構成する各装置に発電した電力と、各装置で必要とする電力の不足電力とを外部電源から供給する。【図１】
0005579346.tif 000002
【図２】
0005579346.tif 000003
【図３】
0005579346.tif 000004
【図４】
0005579346.tif 000005
【図５】
0005579346.tif 000006
【図６】
0005579346.tif 000007
【図７】
0005579346.tif 000008
【図８】
0005579346.tif 000009
【図９】
0005579346.tif 000010
【図１０】
0005579346.tif 000011
【図１１】
0005579346.tif 000012
【図１２】
0005579346.tif 000013
【図１３】
0005579346.tif 000014
【図１４】
0005579346.tif 000015